Podtech/llm-jp-corpus-v4-ja_patent huggingface dataset:
(57)【要約】【課題】縦樋を伝って窓等から建物内に侵入することを可及的に防止するのに有効な縦樋用防犯金具を提供すること。【解決手段】建物の外壁に沿うように設置される円筒形状の縦樋３０（又は角筒形状の縦樋）に外側から巻き付けることができるように設けられた巻き付け部１に、先端を尖らせた多数のピン６を適宜間隔に外方に突出するように配設し、その巻き付け部１の両端縁２，２同士を固定部材たるボルト７・ナット８により連結するように設けた。【選択図】図１
0003137681.tif 000002
【実用新案登録請求の範囲】
【請求項１】
建物の外壁に沿うように設置される縦樋に外側から巻き付けることができるように設けられた巻き付け部に、先端を尖らせた多数のピンを適宜間隔に外方に突出するように配設し、その巻き付け部の両端縁同士を固定部材により連結するように設けたことを特徴とする縦樋用防犯金具。
【請求項２】
前記縦樋が円筒形状又は角筒形状である場合に、前記巻き付け部をそれらに合わせて設けたことを特徴とする請求項１に記載の縦樋用防犯金具。
【考案の詳細な説明】
【技術分野】
【０００１】
本考案は、侵入者が縦樋を伝って窓等から建物内に侵入するのを防止するために縦樋に取り付ける防犯金具に関するものである。
【背景技術】
【０００２】
雨水等の排水に利用される縦樋は、建物の外壁に沿うように保持具で固定されて設置される。ところが、空き巣狙い等の侵入者が保持具を足がかりにして縦樋を伝って窓やベランダから建物内に侵入する危険性がある。
【０００３】
特許文献１には、建物の外壁に取り付けるための取り付け部と、縦樋を保持する保持部との間に、鋭利な突起物からなる忍び返しを設けた縦樋控え金具が記載されている。
【０００４】
その縦樋控え金具によれば、忍び返し部分に足や手をかけて登ることが危険であることを侵入者に感じさせて登る行為を止めさせる一定の効果があると言えるだろう。しかし、手袋や厚底の靴を着装しておれば怪我をしないことから、忍び返し部分があっても足や手をかけて登ることに危険性を感じないで侵入を試みるものもいるであろう。
【特許文献１】特開２００５−２９９３２７号公報
【考案の開示】
【考案が解決しようとする課題】
【０００５】
この考案の目的は、縦樋を伝って窓等から建物内に侵入することを可及的に防止するのに有効な縦樋用防犯金具を提供することにある。
【課題を解決するための手段】
【０００６】
前記目的を達成するために請求項１に記載の考案は、建物の外壁に沿うように設置される縦樋に外側から巻き付けることができるように設けられた巻き付け部に、先端を尖らせた多数のピンを適宜間隔に外方に突出するように配設し、その巻き付け部の両端縁同士を固定部材により連結するように設けたことを特徴とする。
【０００７】
同様の目的を達成するために請求項２に記載の考案は、請求項１に記載の縦樋用防犯金具において、前記縦樋が円筒形状又は角筒形状である場合に、前記巻き付け部をそれらに合わせて設けたことを特徴とするものである。
【考案の効果】
【０００８】
この縦樋用防犯金具は、縦樋に固定される巻き付け部に先端を尖らせた多数のピンを突設しているので、侵入者に対して巻き付け部に足や手をかけて登ることを躊躇させ、縦樋を伝って窓等から建物内に侵入する行為を可及的に防止する。縦樋が円筒形状又は角筒形状でもそれに対応するように巻き付け部を設ければ、どちらの形状の縦樋にも利用可能である。
【考案を実施するための最良の形態】
【０００９】
以下に、本考案の最良の形態例を図面に基づいて説明する。図１は本考案の第１実施形態に係る縦樋用防犯金具の正面図、図２は同、平面図、図３は巻き付け部に対してピンを固定する方法の説明図、図４は第１実施形態に係る縦樋用防犯金具の使用状態を示す説明図、図５は本考案の第２実施形態に係る縦樋用防犯金具の正面図、図６は同、平面図、図７は第２実施形態に係る縦樋用防犯金具の使用状態を示す説明図である。
【００１０】
（実施形態例１）
本考案の第１実施形態に係る縦樋用防犯金具Ａを図１に示す。この防犯金具Ａは、厚さ１ｍｍ程度の所定の大きさの金属製矩形板をリング形状に折り曲げて円筒形状の縦樋に外側から巻き付けることができるように巻き付け部１を形成し、さらに両側の端縁２，２を一定幅寸法で外側に約９０度曲げ起すように設けられている。
【００１１】
巻き付け部１には、図３に示すように、プレス加工により内面側１ａから座グリ穴形状の多数の穴３を打ち抜き或いは機械加工により適宜間隔に形成し、それらの穴３に先端を尖らせた皿ビス形状のピン６の軸部分６ａを夫々挿入して外方に突出するように設けている。また、両側の端縁２，２同士は、固定部材である二組のボルト７とナット８により連結するように設けている。
【００１２】
以上により構成された第１実施形態に係る縦樋用防犯金具Ａは、図４に示すように、建物の外壁に沿うように設置される円筒形状の縦樋３０に巻き付け部１を巻きつけてからボルト７、ナット８により左右の端縁２，２同士を連結することにより取り付けられる。
【００１３】
なお、この縦樋用防犯金具Ａは、縦樋に限られず、ベランダ等を支える支柱にも使用することもできる。
【００１４】
（実施形態例２）
本考案の第２実施形態に係る縦樋用防犯金具Ｂを図５に示す。この防犯金具Ｂは、角筒形状の縦樋に適用するものであり、巻き付け部２１を正四角形に形成する点以外については前記第１実施形態に係る縦樋用防犯金具Ａの構成と同じ構成とされている。このため、それと同一構成部分については、同縦樋用防犯金具Ａの説明に用いた符号を２０番台の符号として図面に記載し、その説明を省略する。
【００１５】
図７に第２実施形態に係る縦樋用防犯金具Ｂの使用状態を示す。図中、３５は角筒形状の縦樋である。
【００１６】
この縦樋用防犯金具は、縦樋に固定される巻き付け部に先端を尖らせた多数のピンを突設しているので、縦樋を伝って窓等から建物内に侵入する行為を可及的に防止するのに有益である。
【図面の簡単な説明】
【００１７】
【図１】本考案の第１実施形態に係る縦樋用防犯金具の正面図
【図２】同、平面図
【図３】巻き付け部に対してピンを固定する方法の説明図
【図４】第１実施形態に係る縦樋用防犯金具の使用状態を示す説明図
【図５】本考案の第２実施形態に係る縦樋用防犯金具の正面図
【図６】同、平面図
【図７】第２実施形態に係る縦樋用防犯金具の使用状態を示す説明図
【符号の説明】
【００１８】
Ａ・・・本考案の第１実施形態に係る縦樋用防犯金具
１・・・巻き付け部
２，２・・・端縁
６・・・ピン
７・・・ボルト（固定部材）
８・・・ナット
３０・・・縦樋
Ｂ・・・本考案の第２実施形態に係る縦樋用防犯金具
２１・・・巻き付け部
２２，２２・・・端縁
２６・・・ピン
２７・・・ボルト（固定部材）
２８・・・ナット
３５・・・縦樋
【図１】
0003137681.tif 000003
【図２】
0003137681.tif 000004
【図３】
0003137681.tif 000005
【図４】
0003137681.tif 000006
【図５】
0003137681.tif 000007
【図６】
0003137681.tif 000008
【図７】
0003137681.tif 000009
(57)【要約】      （修正有）【課題】体重の重い被検者や体を傾けて背中を浮かせるなどの動きができない被検者についても、背中と天板との間に腕置台を挿入するのに簡単で術者の負担が小さい。【解決手段】検査開始前に術者は被検者２の腰部の下のマットレス４と天板３の間に腕置台１の挿入部１Ｃを挿入し、腕置台１上に載置された被検者２の腕がカテーテルを挿入しやすい角度になるように腕および腕置台１を矢印Ａの方向に回転させて調整する。腕置台１は挿入部１Ｃが円弧状に形成されているので、腕とともに回転させても挿入部１Ｃは常に腰部の下に保たれる。【選択図】図１
0003137606.tif 000002
【実用新案登録請求の範囲】
【請求項１】
被検者を載置する検診台に付設され前記被検者の腕を載置する腕置台を備えたＸ線透視撮影装置において、前記検診台と前記被検者の腰部の間に挿入される挿入部を前記腕置台に加設したことを特徴とするＸ線透視撮影装置。
【請求項２】
腕置台に加設される挿入部は円弧状に形成されていることを特徴とする請求項１記載のＸ線透視撮影装置。
【考案の詳細な説明】
【技術分野】
【０００１】
本考案はＸ線透視撮影装置に関する。
【背景技術】
【０００２】
Ｘ線透視撮影装置を用いた血管造影検査は、カテーテルを被検者の血管に挿入して行われる。カテーテルは通常被検者の大腿部または手首から入れられる。被検者を載置する検診台の天板は、Ｘ線透視撮影装置との干渉をできるだけ少なくするために、被検者の肩幅とほぼ同じくらいの幅を有している。手首からカテーテルを入れる場合、被検者は体側から腕を離した状態を維持しなければならず、天板に何らかの腕置台を設置する必要がある。従来は天板にベルトやクランプで固定して使用する腕置台が使用されているが（例えば特許文献１参照）、被検者の載せ降ろしの際に邪魔になる場合が多く、腕置台の取り付けや取り外しも煩雑である。そこで例えば図４に示すように、被検者２が天板３の上に横臥した状態で背中と天板３との間に板状の腕置台７を挟みこんで被検者２の体重で腕置台７を支えるタイプのもの（例えば特許文献２参照）が使用されることもある。
【特許文献１】特開２００６−０２０６６６号公報
【特許文献２】特開平８−１９１８６８号公報
【考案の開示】
【考案が解決しようとする課題】
【０００３】
血管造影検査において、被検者の背中と天板との間に挟み込んで使用するタイプの腕置台は取り付けが比較的簡単であるが、体重の重い被検者や体を傾けて背中を浮かせるなどの動きができない被検者については、背中と天板との間に腕置台を挿入するのに多大な手間を要する。本考案はこの問題を解決するためのものである。
【課題を解決するための手段】
【０００４】
本考案が第一に提供する考案は上記の課題を達成するために、被検者を載置する検診台に付設され前記被検者の腕を載置する腕置台を備えたＸ線透視撮影装置において、前記検診台と前記被検者の腰部の間に挿入される挿入部を前記腕置台に加設したＸ線透視撮影装置である。
【０００５】
さらに本考案が提供する考案は上記の課題を達成するために、腕置台に加設される挿入部は円弧状に形成されていることを特徴とする請求項１記載のＸ線透視撮影装置である。
【考案の効果】
【０００６】
本考案により腕置台の一部を被検者の腰部と天板との間に挟み込んで使用することにより、体重の重い被検者や体を傾けて背中を浮かせるなどの動きができない被検者の場合でも、腕置台の一部を腰部と天板との間に容易に挿入することができる。
【０００７】
また被検者の胸部の下に挿入して使用する腕置台の場合、関心領域である心臓部分に腕置台の一部がかかり、Ｘ線透過性の良い材料で作られていても、そのエッジがＸ線画像に重なって写る問題があったが、本考案による腕置台は心臓部分にかからない形状のためこの問題も解消される。
【考案を実施するための最良の形態】
【０００８】
本考案の実施例について図１〜図３を用いて説明する。図２は本考案による腕置台１の外観を示す図である。腕置台１は被検者の前腕を載せる前腕載置部１Ａと、上腕を載せる上腕載置部１Ｂと、腰の下に挿入する挿入部１Ｃに大別され、軽量かつ剛性を確保するために、２枚のカーボンファイバー板の間に発泡アクリル板を挟みこんだ構造になっている。そして腕置台１は表裏の区別は無く、被検者の左右どちらの腕にも使用可能である。
【０００９】
次に図１は腕置台１を使用する様子を示す図である。被検者２は血管造影検査を受けるために天板３上に敷かれたマットレス４上に横臥している。検査開始前に術者（図示しない）は被検者２の腰部の下のマットレス４と天板３の間に腕置台１の挿入部１Ｃを挿入し、腕置台１上に載置された被検者２の腕がカテーテルを挿入しやすい角度になるように腕および腕置台１を矢印Ａの方向に回転させて調整する。腕置台１は挿入部１Ｃが円弧状に形成されているので、腕とともに回転させても挿入部１Ｃは常に腰部の下に保たれる。また上腕載置部１Ｂは腕を安定して支えるために有用であり、さらに前腕載置部１Ａと上腕載置部１Ｂに同時に荷重がかかることにより挿入部１Ｃにねじれの荷重がかかることを防いでいる。
【００１０】
上述のように腕置台１に被検者２の腰部の下に挿入する円弧状の挿入部１Ｃを設けることにより体重の重い被検者や体を傾けて背中を浮かせるなどの動きができない被検者についても、腕置台１を腰部と天板との間に容易に挿入し、腕を適当な角度で支持することができる。
【００１１】
なお図３（ａ）に示すように検査中に被検者２の腕が腕置台１から落ちないようにベルト５を取り付けておいてもよいし、図３（ｂ）に示すように被検者２の手首からのカテーテルの挿入を容易にするために腕置台１にクッション６を載せて使用してもよい。
【産業上の利用可能性】
【００１２】
本考案はＸ線透視撮影装置に関する。
【図面の簡単な説明】
【００１３】
【図１】本考案による腕置台の使用状況を示す図である。
【図２】本考案による腕置台の外観を示す図である。
【図３】本考案の変形例を示す図である。
【図４】従来の腕置台の使用状況を示す図である。
【符号の説明】
【００１４】
１：腕置台
１Ａ：前腕載置部
１Ｂ：上腕載置部
１Ｃ：挿入部
２：被検者
３：天板
４：マットレス
５：ベルト
６：クッション
７：腕置台
【図１】
0003137606.tif 000003
【図２】
0003137606.tif 000004
【図３】
0003137606.tif 000005
【図４】
0003137606.tif 000006
(57)【要約】      （修正有）【課題】乳化剤、ブドウ種子オイル、月見草オイル、カテキン、ローズヒップオイル、グリセリン、バラ香料、抽出Ｖ・Ｅ、砂糖、ビタミンＣ、グリコン酸ＮＡ、水分の成分を含んだ口臭体臭をいい臭いに変える飲料の提供。【解決手段】ペットボトルを手にとり飲料水を飲む。【選択図】図１
0003137638.tif 000002
【実用新案登録請求の範囲】
【請求項１】
0003137638.tif 000003
１…乳化剤  ２…ブドウ種子オイル  ３…月見草オイル  ４…カテキン  ５…ローズヒップオイル  ６…グリセリン  ７…バラ香料
0003137638.tif 000004
の成分を含んだ飲料をペットボトルにいれ、飲むと体臭や口臭がいい臭いに変わる飲料水における実用新案請求であり、なお、お茶味なら  ローズヒップオイルがカテキン
0003137638.tif 000005
【考案の詳細な説明】
【技術分野】
【０００１】請求項１の成分を含む、口臭体臭をいい臭いに変える飲料である。
【背景技術】
【０００２】飲料としては口臭体臭をいい臭いに変える飲料はなく  臭いに敏感な女性や男性には、不便であった
【考案が解決しようとする課題】
【０００３】口臭や加齢臭や生理臭、汗の臭いをこの飲料を飲むことによって解消する。
【課題を解決するための手段】
【０００４】ペットボトルに請求項１の成分の飲料が入っており  ペットボトルより口から飲みくさい臭いをおさえる飲むフレグランス  別途  ジャスミン型、抹茶型あり。
【考案の効果】
【０００５】上記のように飲み、臭いによるコンプレックスの解消をする効果がある。
【考案を実施するための最良の形態】
【０００６】ペットボトルに請求項１の成分の飲料が入っており  ペットボトルより口から飲みくさい臭いをおさえる飲む臭い対策飲料品である。
【実施例１】
【０００７】ペットボトル（１）を手にとり  請求項１成分の飲料水（２）を飲む。
本考案は上記した構造をなすものであるから  自分のにおいを消し、不便さを解消し、持ち運びや携帯に便利という効果がある。
【図面の簡単な説明】
【０００８】
【図１】本考案の一実施例を示す立体図である。
【符号の説明】
【０００９】１は、ペットボトル
２は  請求項１成分の飲料水
【図１】
0003137638.tif 000006
【手続補正書】
【提出日】平成19年6月22日(2007.6.22)
【手続補正１】
【補正対象書類名】実用新案登録請求の範囲
【補正対象項目名】全文
【補正方法】変更
【補正の内容】
【実用新案登録請求の範囲】
【請求項１】
”飲むいい香り飲料水”として、ジュースとして材料／
１…乳化剤  ２…ブドウ種子オイル  ３…月見草オイル  ４…カテキン
５…ローズヒップオイル  ６…グリセリン  ７…バラ香料
0003137638.tif 000007
の成分を含んだ飲料をペットボトルにいれ、飲むと体臭や口臭がいい臭いに変わる飲料水、なお、お茶味ならカテキン、ウーロン味ならウーロン茶葉エキス、フルーツ味なら、フルーツ果汁。
【手続補正書】
【提出日】平成19年8月23日(2007.8.23)
【手続補正１】
【補正対象書類名】実用新案登録請求の範囲
【補正対象項目名】全文
【補正方法】変更
【補正の内容】
【実用新案登録請求の範囲】
【請求項１】
臭い予防ジュース類としての材料／
１…乳化剤  ２…ブドウ種子オイル  ３…月見草オイル  ４…カテキン  ５…ローズヒップオイル  ６…グリセリン  ７…バラ香料  ８…抽出Ｖ．Ｅ  ９…砂糖  １０…ビタミンＣ  １１…グリコン酸ｎａ  の成分を含んだ飲料をペットボトルにいれた飲料水
(57)【要約】      （修正有）【課題】バックラッシュの発生がなく部品点数が少ないレンズ移動装置を提供する。【解決手段】２本のガイド軸の夫々に移動レンズ郡保持部に送りねじ加工を施し、ハーフナットラックを与圧接触させることでバックラッシュを無くし、ステッピングモーターで移動レンズ保持部を直接駆動する装置で、移動レンズ保持部を光軸上に前後に配置し組み込む事で移動装置の構成部品点数が極限迄縮小出来る。【選択図】図１
0003137637.tif 000002
【実用新案登録請求の範囲】
【請求項１】
光軸に並行する２本のガイドレールに保持される移動レンズ郡保持筒は片方の保持部はガイドレールとの間にガタの無い開放溝とし、片方はガイドレールに送りねじが加工され、送りねじに羅合するハーフナットのラックがスプリングに拠って圧接され、その前後にガイドレール保持穴２ヵ所を持つ保持部を備えるレンズ保持筒に拠って構成され、送りねじ加工されたガイドレールはステッピングモーターに拠り直接駆動される様に構成されたレンズ移動装置。
【請求項２】
請求項１の機構を１つの光軸に前後に組合せ２本のガイドレールで２組の移動レンズ郡保持筒を夫々に移動出来る様にしたレンズ移動装置。
【考案の詳細な説明】
【技術分野】
【０００１】  本考案は、一般カメラレンズに関するものである。
【背景技術】
【０００２】  従来精密機械の送り装置として棒ねじとハーフナットのラックとの組合せが行われていた。【０００３】  従来のカメラレンズで、２本のガイドレールに保持されたレンズホルダーの片側の保持部を、モーターに拠って駆動される棒ねじと送り爪の組合せに拠る移動装置の送り爪に接続されたレンズホルダーの保持部に拠ってレンズ郡を移動する、レンズ移動装置が存在した。
【特許文献１】  特開平６−３０８３６１
【特許文献２】  特開平７−１４０３６８
【特許文献３】  特開平７−３２５２４２
【非特許文献】
【考案の開示】
【考案が解決しようとする課題】
【０００４】  以上に述べた従来のカメラレンズの移動装置に於いては２組の移動レンズ郡ホルダーを組み込もうとすると構成部品点数が多くなり、駆動力のロスも多くなる欠点がある。。【０００５】  移動機構の接続部分が多くなるほどバックラッシュが発生累積しやすく、バックラッシュュの発生を押さえる手段に考慮を要する。
【課題を解決するための手段】
【０００６】  本考案は前記の問題を解決するためガイドレールの１部に送りねじ加工を施し、移動レンズ郡ホルダー保持部に、送り用ハーフナットを加圧スプリングに拠りガイドレールに施した送りねじに、バックラッシュが発生しないよう羅合圧接させることに拠って、構成部品の削減とバックラッシュのないレンズの移動装置を提供するものである。
【考案の効果】
【０００７】  上述の如く本考案のレンズ移動装置は構成部品点数が少なくバックラッシュの無い安価なレンズの移動装置が提供出来る。
【考案を実施するための最良の形態】
【０００８】  以下、本考案の実施形態を図１〜図２に基ずいて説明する。【０００９】  図に於いて、１は対物レンズ、２は変倍レンズ郡、３は固定レンズ郡、４はフォーカスレンズ郡、５が結象面、６がガイドレールに送りねじ加工した部分、７はガイドレール送りねじ非加工部、８はステッピングモーター、９は移動レンズ郡保持部開放溝、１０は送りねじに羅合するハーフナットラック１１に与圧する加圧ばねで、１２は移動レンズ郡保持部のガイド穴部である。【００１０】  図１は２組の移動レンズ郡を持つ実施例の概念図である。【００１１】  図２は構造説明図で送りねじ６にハーフナットラック１１が加圧ばね１０に拠って与圧接触することでバックラッシュ０のレンズ郡移動を行う事が出来る。【００１２】  本考案は図に示す様にガイドレールと送りねじを１体化することで移動装置の構成部品点数を限界迄縮小出来る効果がある。
【図面の簡単な説明】
【００１３】
【図１】  本考案実施例の概念図
【図２】  本考案の構造説明図
【符号の説明】
【００１４】１…‥対物レンズ郡
２…‥変倍レンズ郡
３…‥固定レンズ郡
４…‥フォーカスレンズ郡
５…‥結象面
６…‥ガイドレールの送りねじ加工部
７…‥ガイドレール送りねじ非加工部
８…‥ステッピングモーター
９…‥移動レンズ郡保持部ガイド受け開放溝
１０…‥加圧ばね
１１…‥ハーフナットラック
１２…‥移動レンズ保持部ガイド受け穴
１３…‥光軸
【図１】
0003137637.tif 000003
【図２】
0003137637.tif 000004
【手続補正書】
【提出日】平成19年6月15日(2007.6.15)
【手続補正１】
【補正対象書類名】実用新案登録請求の範囲
【補正対象項目名】全文
【補正方法】変更
【補正の内容】
【実用新案登録請求の範囲】
【請求項１】
光軸に並行する２本のガイドレールに保持される移動レンズ郡保持筒は両側に対向して設けられた保持部の片方はガイドレールとの間にガタの無い開放溝とし、対向する保持部はガイドレールに加工された送りねじに羅合するハーフナットのラックがスプリングに拠ってガードレール送りねじ部に圧接され、ハーフナットの前後はガイドレールの保持穴２ヵ所に拠って構成される保持部を備えた移動レンズ郡保持筒に拠って構成され、送りねじ加工されたガイドレールはステッピングモーターに拠り直接駆動する様にしたレンズ移動装置。
【請求項２】
請求項１の機構を１っの光軸に前後に組合せ共有する２本のガイドレールは夫々の駆動範囲に送りねじ加工を施し、２個のステッピングモーターに拠って個々に操作するようにしたレンズ移動装置。
【手続補正書】
【提出日】平成19年8月29日(2007.8.29)
【手続補正１】
【補正対象書類名】実用新案登録請求の範囲
【補正対象項目名】全文
【補正方法】変更
【補正の内容】
【実用新案登録請求の範囲】
【請求項１】
光軸に並行する２本のガイドレールの内１本は送りねじを兼ね駆動用ステッピングモーターに接続され、この２本のガイドレールに保持される移動レンズ群保持筒の両側に対向して設けられた、移動レンズ群保持部ガイド受け開放溝、及び前後に２分割された移動レンズ保持部ガイド受け穴が有り、前後ガイド受けの中間は送りねじに羅合するハーフナットラックが加圧ばねに拠って移動レンズ群保持筒に取り付けられた、構成部品を少なくしバックラッシュを最小としたことを特徴としたレンズ移動装置。
【請求項２】
請求項１に記載のレンズ移動装置の２本のガイドレールの夫々に前半部・後半部に送りねじ加工を施し夫々後部を独立したステッピングモーターに接続し、１つの光軸に２組の移動レンズ群保持筒を夫々に移動出来る事を特徴としたレンズ移動装置。
(57)【要約】      （修正有）【課題】従来の小麦粉を使用する焼き菓子は、粉っぽさと、モタッとした食感を示す傾向がある。この食感を改善し健康効果も備えた焼き菓子製品を提供する。【解決手段】ハーブたまごの卵白とグルテンを使用しない酵素処理米粉、米油を主成分にした焼き菓子類。【効果】ハーブたまごの特徴であるさっぱりとしたコクと、米粉の特徴であるパリッとした香ばしい食感を持つだけでなく、健康的要素を備えた製品を作ることが出来る。【選択図】図１
0003137635.tif 000002
【実用新案登録請求の範囲】
【請求項１】
ハーブを含む飼料によって育成した鶏卵の卵白とグルテンを使用しない酵素処理米粉と米油を主材料として製造されることを特徴とし、円筒形の蓋付容器などに充填された焼菓子
【考案の詳細な説明】
【考案の詳細な説明】
【産業上の利用分野】
【０００１】この考案は焼き菓子類の分野に係わる。すなわち主材料の質と量の選択によって今までにない製品が作れたことを示すものである。
【背景技術】
【０００２】参考文献（注１）によるように、卵白を使用した焼菓子は原材料として卵白の他、薄力粉、バター粉砂糖を主材料とすることがしられている。
【考案が解決しようとする課題】
【０００３】従来の市販たまごの卵白、小麦粉、バターを使用する焼き菓子は、粉っぽさとモタッとした食感を示す傾向がある。これに対し本考案者の発明による鶏卵（以下ハーブたまごと呼称する）（注２）はサッパリとしてコクがある。特にノンコレステロールで最高の蛋白質とされる卵白と米粉（注３）と米油を主成分とし従来製品と異なる焼き菓子を作ることを課題とする。
【課題を解決するための手段】
【０００４】従来の製法（文献注１参照）に従って、市販たまごの卵白の代わりにハーブたまごの卵白、小麦粉の代わりにグルテンを含まない酵素処理した米粉（注３）、バターの代わりに米油を使用し、原材料の相違による効果を検討した。
【考案の実施】
【０００５】第一段階の試作
目的  原材料の相違による効果を検討する。
使用原料            公知焼菓子の原料    配合比
ハーブたまご卵白    市販たまご卵白        １
酵素処理米粉        薄力粉                １
米油                市販のバター          １
粉砂糖              粉砂糖                １
【実施例１】
【０００６】参考文献にしたがって、成分比を同率で配合し、公知製法に従って製造した。
食味結果  ハーブたまごの特徴が著しくさっぱりとしたコクがある。米粉の特徴であるパリッとした香ばしい食感がある。バター臭味がなく、米油のサラッとしたた食感がある。さらに栄養価の高い食品が得られた。
【実施例２】たまごの卵白：１  酵素処理米粉：１
米油：０．７±０．２  粉砂糖：１±０．２の比率で配合し製造した。
食味結果  米油の変化は油味覚に影響し、サラッとした食感に変化をあたえる。また砂糖の多少は甘味のほか、固さ、パリッとした食感に変化を与える。
【実施例３】焼き上げた菓子をカップ［図１］などの容器に充填しふたをしめて製品とした。
【考案の効果】
【０００７】本考案によってバーブたまごの卵白とグルテンを含まない酵素処理米粉と米油と砂糖を主材料とし従来と異なる新しい製品を作ることができた。
すなわちハーブたまごの特徴である  サッパリとした香ばしい食感を持つだけでなく、素材の特徴である健康的要素を備えた製品を作ることが出来た。
【図面の簡単な説明】
【図１】ハーブたまごの卵白とグルテンを使用しない酵素処理米粉と米油を主材料として製造された焼菓子を市販の容器に充填した例を示す立体正面図
【符号の説明】
１・・容器に充填した焼き菓子製品
２・・焼き菓子を充填した容器
３・・容器の蓋
【図１】
0003137635.tif 000003
(57)【要約】      （修正有）【課題】食事の際、食べカスが皿や器に付着し、洗う手間がかかること。【解決手段】厚さが薄く、皿や器に合わせた形で、食べ物の食べカスを皿や器に付着させないためのこんにゃく２を皿や器Ｙに敷く。食事が済んだら、そのこんにゃくを食べることで課題を解決する。【選択図】図４
0003137633.tif 000002
【実用新案登録請求の範囲】
【請求項１】
厚さは薄く、皿や器に合わせた形で、食べ物の食べカスを皿や器に付着させないためのこんにゃく。
【請求項２】
独自の形状をした納豆の容器とその納豆の容器に合わせた形の薄いこんにゃく。
【考案の詳細な説明】
【技術分野】
【０００１】本考案は、食事の際に役立つ、独自の形状のこんにゃくに関する。
【背景技術】
【０００２】従来、食事の際は食べ物を直接皿や器の上にのせていた。
【考案の開示】
【考案が解決しようとする課題】
【０００３】しかし、これでは食べカスが皿や器に付着し、洗う手間がかかる。
【課題を解決するための手段】
【０００４】そこで、「厚さは薄く、皿や器に合わせた形で、食べ物の食べカスを皿や器に付着させないためのこんにゃく」を考案した。（図１、図２）
このこんにゃくに食べ物をのせて、食事を済ませる。
【考案の効果】
【０００５】食事が済んだら、食べカスごとこのこんにゃくを食べれば、皿や器はほとんど汚れない。【０００６】また、こんにゃくはある程度の耐熱性を持っているため、熱い食べ物でも溶けず、皿を汚さない。【０００７】さらに、ほとんど無味無臭であることから、様々な食べ物の風味を損なわないと思われる。【０００８】また、いわゆる「おかずいれ」の代替品にもなりうる。
【考案を実施するための最良の形態】
【０００９】本考案に係る敷きこんにゃくは、従来のこんにゃくの形を変えただけのものである。これを作るには、こんにゃくが様々な皿や器に合うような型を作り、その型を使って成型すればよい。
大きさは、様々な皿や器に対応するために複数を想定する。
厚さはコストダウンのため、できるだけ薄くする。【００１０】さらに、必須ではないが、皿や器の模様を楽しむため、透明であればなおよい。【００１１】また、様々な場合を想定して、こんにゃくに何らかの味付けをしてもよい。
【図面の簡単な説明】
【００１２】
【図１】本考案に係る敷きこんにゃくを円形の皿に敷き、それを真上から見た図である。
【図２】図１の断面図である。
【符号の説明】
【００１３】１  敷きこんにゃく（図２で、上から左下に斜線が描かれている部分）
Ｕ  円形の皿（図２で、上から右下に斜線が描かれている部分）
0003137633.tif 000003
0003137633.tif 000004
0003137633.tif 000005
0003137633.tif 000006
0003137633.tif 000007
【図１】
0003137633.tif 000008
【図２】
0003137633.tif 000009
【図３】
0003137633.tif 000010
【図４】
0003137633.tif 000011
【図５】
0003137633.tif 000012
【手続補正書】
【提出日】平成19年5月24日(2007.5.24)
【手続補正１】
【補正対象書類名】実用新案登録請求の範囲
【補正対象項目名】全文
【補正方法】変更
【補正の内容】
【実用新案登録請求の範囲】
【請求項１】
厚さは薄く、皿や器に合わせた形で、食べ物の食べカスを皿や器に付着させないためのこんにゃく。なお、「皿や器に合わせた形」に関してだが、周知のとおり皿や器には様々な形状がある。具体的に言うと円形、正方形、楕円形、長方形等があり、もし、ある形状で、ある大きさだ、と一つに限定してしまうと、それぞれの皿や器に対応できない上、無数のバリエーションがあり、この出願内容を知った他の誰かが、その限定した形状ではない形状で出願すれば、実質的に全く同じ発想にも関わらず審査を通ってしまうことになり、不利益を被る。よって、「皿や器に合わせた形」という表現を用いた。が、指針として具体的に数値を挙げると、円形と正方形の縦の比率はそれぞれ１で、横の比率もそれぞれ１。楕円形と長方形の縦の比率はそれぞれ１で、横の比率はそれぞれ１．２から３．０程度。円形、正方形、楕円形、長方形それぞれの比率１は、６ｃｍから５０ｃｍ程度で、全ての形状の厚さは３ｍｍ以下が理想的である
【手続補正２】
【補正対象書類名】明細書
【補正対象項目名】００１２
【補正方法】変更
【補正の内容】
【００１２】
【図１】本考案に係る敷きこんにゃくを円形の皿に敷き、それを真上から見た図である。
【図２】図１の断面図である。
【図３】本考案に係る納豆の容器とこんにゃくを使用したものの、ふたを開けていない状態の断面図である。
【図４】本考案に係る納豆の容器とこんにゃくを使用したものの、ふたを開け、四角形の部分Ｓを下に折った状態の断面図である。
【図５】本考案に係る納豆の容器とこんにゃくを使用したものの、ふたを開け、こんにゃく３を除き、四角形の部分Ｓを広げた状態を上から見た図である。なお、納豆Ｎはこんにゃく２の上に位置している。
【手続補正書】
【提出日】平成19年8月24日(2007.8.24)
【手続補正１】
【補正対象書類名】実用新案登録請求の範囲
【補正対象項目名】全文
【補正方法】変更
【補正の内容】
【実用新案登録請求の範囲】
【請求項１】
直径が５ｃｍ以上５０ｃｍ以下の円形で、厚さが３ｍｍ以下に統一された形状のこんにゃく。
【手続補正２】
【補正対象書類名】明細書
【補正対象項目名】０００４
【補正方法】変更
【補正の内容】
【０００４】  そこで、「直径が５ｃｍ以上５０ｃｍ以下の円形で、厚さが３ｍｍ以下に統一された形状のこんにゃく」を考案した。（図１、図２）
このこんにゃくに食べ物をのせて、食事を済ませる。
なお、この円形の敷きこんにゃくの直径は、様々な皿や器に対応するため、５ｃｍ以上５０ｃｍ以下である必要がある。
(57)【要約】【課題】安定した履き心地と、高級で豪華な感じを与えることのできる履物底部を提供する。【解決手段】踵部の底部から中間部分までの断面が略正方形であり、底部から中間部分にかけて当該断面の一辺の長さが徐々に短くなり、さらに、中間部分から上部にかけては徐々に断面が大きくなることで踵部にくびれを生じさせるものである。踵部の底部と靴内の足の前踏みがあたる部分が略並行になっていることが好ましく、また、踵部の底部の幅が靴のあと踏みがあたる部分の幅と同じ又は幅広になっていることが好ましく、このような履物底部により、使用者は、踵部が高く高級で豪華な感じでありながら、安定した履き心地を与えることができる。【選択図】  図１
0003137623.tif 000002
【実用新案登録請求の範囲】
【請求項１】
踵部の底部から中間部分までの断面が略正方形であり、底部から中間部分にかけて当該断面の一辺の長さが徐々に短くなり、さらに、中間部分から上部にかけては断面が徐々に断面が大きくなることで踵部にくびれを生じさせる履物底部
【請求項２】
踵部の底部と靴内の足の前踏みがあたる部分が略並行になっている、請求項１記載の履物底部
【請求項３】
踵部の底部の幅が靴本体の踵部分の幅と同じ又は幅広になっている、請求項１記載の履物底部
【考案の詳細な説明】
【技術分野】
【０００１】
本考案は、靴底やサンダル台等の履物底部に関する。
【背景技術】
【０００２】
いわゆるハイヒールなどの、踵部が高くなっている従来の履物は、高級で豪華な感じをあたえるものである。
【考案の開示】
【考案が解決しようとする課題】
【０００３】
しかしながら、その反面、高くなった踵部は履物の履き心地を悪くし、特に踵部が底部に行くほどその断面積が少なくなっている場合には歩行の際に安定した履き心地が得られない。また、踵部の断面積を全体的に広くすると履き心地は多少改善するが、踵部全体がずんぐりとした印象となり、高級感や豪華な感じが大幅に損なわれる。
【０００４】
そこで、本考案に係る履物底部は、安定した履き心地と、高級で豪華な感じを与えることのできる履物底部を提供することを目的とする。
【課題を解決するための手段】
【０００５】
上述の目的を達成するために、踵部の形状について試行錯誤した結果、本考案を完成させた。
【０００６】
本考案の請求項１の履物底部は、踵部の底部から中間部分までの断面が略正方形であり、底部から中間部分にかけて当該断面の一辺の長さが徐々に短くなり、さらに、中間部分から上部にかけては断面が徐々に断面が大きくなり、靴本体の踵部分と連続的な形状となることで踵部にくびれを生じさせることを特徴としており、これにより、高級で豪華な感じでありながら、安定した履き心地の履物を提供できる。
【０００７】
請求項２の履物底部は、請求項１の履物底部について、さらに、踵部の底部と靴内の足の前踏みがあたる部分を略並行にしたことを特徴としており、これにより、履物底部が地面に着地した瞬間に、踵部と前踏み部に適度に荷重が分散され、靴内で足が滑るようなこともないから、より安定した履き心地が得られる。
【０００８】
請求項３の履物底部は、請求項１の履物底部について、さらに、踵部の底部の幅が靴本体の踵部分の幅と同じ又は幅広になっていることを特徴としており、踵部の底部に受けた荷重が足のあと踏みの一部に偏ってかかることがないから、より安定した履き心地が得られる。
【考案の効果】
【０００９】
本考案は、上述のごとく構成されるので、踵部が高く高級で豪華な感じでありながら、安定した履き心地を与えることができる。
【考案を実施するための最良の形態】
【００１０】
以下に本考案の実施の形態を、図面を用いて、さらに詳細に説明する。
図１〜３に、本考案の一実施形態である履物底部を用いた履物を示す。図１は本考案の履物底部を用いた履物の側面図、図２は同底面図、図３は同背面図である。
【００１１】
図１に示すように、本考案の履物底部１は、使用者の足のあと踏みを支える踵部２、使用者の足の前踏みを支える前部底部３を具備する。図２に示すように、踵部の底部２１の平面形状は略正方形となっており、当該断面形状は踵部の中間部分２２まで続いている。図１に示すように、踵部の中間部分２２にかけて踵部の断面の一辺の長さが徐々に短くなり、中間部分２２で最小となる。さらに、中間部分２２から上部にかけては、靴本体の踵部分４の形状と滑らかな一体形状となるように、踵部の断面は徐々に大きくなり、踵部と靴本体とが違和感なく一体となっている。
【００１２】
さらに、図１に示すように、踵部の底部２１と靴内の足の前踏みがあたる部分５とは、側面視において、一点鎖線A及び一点鎖線Bから明らかなように略並行になっている。また、図３に示すように、踵部の底部２１の幅Lは、靴本体の踵部分４の幅lと同じになっている。
【００１３】
本考案は、設計変更可能であって、前部底部の形状や踵部２や前部底部３の材質にも制限はない。また、本実施例ではその断面積が最小になる踵部の中間部分は、踵部の上部付近に設けられているが、中間部分の位置は、靴のデザインとの関係で適宜変更することができる。
【図面の簡単な説明】
【００１４】
【図１】本考案の履物底部を用いた履物の側面図である。
【図２】本考案の履物底部を用いた履物の底面図である。
【図３】本考案の履物底部を用いた履物の背面図である。
【符号の説明】
【００１５】
１      履物底部
２      踵部
２１    踵部の底部
２２    踵部の中間部分
３    前部底部
４      靴本体の踵部分
５      靴内の足の前踏みがあたる部分
L      踵部の底部２１の幅
ｌ    靴本体の踵部分３の幅
【図１】
0003137623.tif 000003
【図２】
0003137623.tif 000004
【図３】
0003137623.tif 000005
(57)【要約】      （修正有）【課題】従来からのビデオプロジェクターシステムは横置型であり、スペースの問題等があったことを解決するための発案である縦型かつ省スペース型ビデオプロジェクター装置の提供。【解決手段】通常映像投影機を天井などに吊るとなると天井に穴を開けたり、すっきりと設置するために設計前に配線処理をしなければならないといったような事前準備が必要となり、安易に移動できなくなる。また、床設置をする際は、視聴する場所の手前に設置する必要があり、投射距離を考えると、広いスペースを要することとなる。同考案は、壁面に沿って１０ｃｍ〜ほどの厚さとなるボードもしくは縦式省スペース型映写装置で、内部に液晶プロジェクター、もしくはＤＬＰを組み込んだ映写装置である。映写装置を組み入れたユニットと平行にセットしたスクリーンもしくは対する壁面に投影される仕組み。【選択図】図１
0003137630.tif 000002
【実用新案登録請求の範囲】
【請求項１】
（１）同製品は、壁面に沿って、もしくは床面に対し垂直に立てるパネル型（キャビネット型）プロジェクション映像投影装置である。
（２）現状のビデオ映像を映し出すプロジェクターは、床置き、台上もしくは天井に金具にて設置する方式をとるが、同製品は、ボード（〜約１８ｃｍぐらい）内に投影機器装置を組み入れるか、もしくは壁面に埋め込むなどスペースを取らない省スペース化を図るタイプの投影装置（プロジェクションシステム）である。
【考案の詳細な説明】
【技術分野】
【０００１】本考案は、壁面およびスクリーンに投影するタイプのビデオプロジェクターを、横置型から縦型に変え、パネル上に仕込んだ側面にレンズを設け、そこから投影するものである。ミラー反射板もしくは光ファイバー方式を利用し、投影面と垂直に設置するか、もしくは補正装置によって映写装置を置き場所に困ることが従来に較べてなくなる映像投影装置である。
【背景技術】
【０００２】通常、スクリーン投影型（正面反射式）のプロジェクション装置は、床や台上もしくは天井吊り下げにより設置場所に困った。投影面に平行に設置したパネル状もしくは縦型の省スペース式の投影機とすれば、狭い部屋や、比良沖のように場所をとらないスタイルでプロジェクターを設置できる。技術的には薄型のデジタルカメラの応用となる投影装置である。
【考案の開示】
【考案の解決しようとする課題】
【０００３】（１）狭い部屋で大画面映像を愉しむための考案である。
（２）プロジェクション・システム（映像投影機）の配置を、縦型にすることによって、天井に吊り下げることもなく設置方法を工夫すればパネル状にして映画館のように頭上から投影することも可能となる。
【課題を解決するための手段】
【０００４】従来からのプロジェクション・システム（映像投影機、以降ＰＳと略す）は天井などに穴を開けたり、すっきりと設置するために設計前に配線処理をしなければならないといったような事前準備が必要となり、安易に移動できなかった。また、床設置をする際は、視聴する場所の手前に設置する必要があり、当社距離を考えると、広いスペースを要することとなりワンルームマンションなど限られたスペースでスマートな投射は不可能だった。同考案は、例えば壁面に沿って１０ｃｍほどの厚さとなるボード型ＰＳには、投影距離によってレンズを交換し、適切な距離で映像を楽しめるものである。またボードを間仕切りパーテーションとして設置しても、インテルアニしっくりと設置でき、多用途に使用できる。
【考案を実施するための最良の状態】
【０００５】当考案は、主にベッドルームやリビングルームなど主に一般家庭用として設置するＰＳである。ベッドの頭部上のボード内に上述のＰＳを設置し、リクライニング・ベッドの上に寝そべっていても映画、テレビ鑑賞が出来るスタイルにすることも可能。その際には高級感を漂わせる表面にし、壁の模様に合わせ、映像窓から投影されるのだが、壁面に沿って設置もしくは仕切りのように設置するので、室内での違和感を感じない外観が好まれる。通常はシンプルなパターンにして、別途にて表面デザインのオプションを設定する。
【実施例】
【０００６】以下本体のみのイメージ図によって縦型プロジェクターを説明する。【０００７】当製品は、ダブルベッドなどの頭部にあたる場所に設置したり、壁面に沿って固定、もしくは壁面に映写ユニットを埋め込むことが可能である。【０００８】システムの追加機能として、テレビ・ＢＳチューナー他、ＤＶＤプレーヤーも組み入れ可能とする。【０００９】縦型にすることによって、通常使用していないとき、部屋のデザインを壊さないよう、すっきりとさせられるデザインとなり、またさまざまな環境に適している。【００１０】ベッド頭部上部に設置の場合、両サイドにオプションで小トレーおよびカップソーサーを付けると、ベッドルームがより映画館のような環境となる。【００１１】映像投射は、ミラーやひかりファイバーの技術を用い、反射の原理を利用するとよりスペースの効率化を図る。【００１２】映写装置には放熱や、静音装置が必要。内部の隙間を出来るだけ有効的に活用し、機械の負担を減らし、また映写中のノイズを抑えるために静音装置や、ボードには遮音材を駆使した装置とする。
【図面の簡単な説明】
【００１３】
【図１】同システムの展開図である。
【図２】同システムのイメージ図である。
【図１】
0003137630.tif 000003
【図２】
0003137630.tif 000004
【手続補正書】
【提出日】平成18年12月21日(2006.12.21)
【手続補正１】
【補正対象書類名】実用新案登録請求の範囲
【補正対象項目名】全文
【補正方法】変更
【補正の内容】
【実用新案登録請求の範囲】
【請求項１】
（１）同製品は、壁面に沿って、もしくは床面に対し垂直に立てるパネル型もしくはキャビネット型プロジェクション映像投影装置。
（２）同製品は、約１８ｃｍ以内のボード状の投影機器装置で、スタンド式のパネル型投影システムとして、もしくは壁面に埋め込むなどスペースを取らない省スペース化を図るタイプのパネル型もしくはキャビネット型プロジェクション映像投影装置。
【手続補正書】
【提出日】平成19年3月20日(2007.3.20)
【手続補正１】
【補正対象書類名】実用新案登録請求の範囲
【補正対象項目名】全文
【補正方法】変更
【補正の内容】
【実用新案登録請求の範囲】
【請求項１】
当企画におけるプロジェクション映像投影装置において、
（１）同製品は、壁面に沿って、もしくは床面に対し垂直にスタンド足、パネル等を使用して立て、
（２）ボード状のパネル型投影システム、もしくは壁面に埋め込むなどスペースを取らない省スペース化を図った構成からなる企画である。
【手続補正書】
【提出日】平成19年7月3日(2007.7.3)
【手続補正１】
【補正対象書類名】実用新案登録請求の範囲
【補正対象項目名】全文
【補正方法】変更
【補正の内容】
【実用新案登録請求の範囲】
【請求項１】
（１）同製品は、壁面に沿って、もしくは床面に対し垂直にスタンド足や、パネル型もしくはキャビネット型としたプロジェクション映像投影装置。
（２）同製品は、ボード状パネルに組み込まれた投影機器装置で、スタンド式のパネル型投影システムとして、もしくは壁面に埋め込むなどスペースを取らない省スペース化を図るタイプのパネル型もしくはキャビネット型プロジェクション映像投影装置の考案である。
(57)【要約】      （修正有）【課題】ビニール等をひいて作る人工池の周り近くにおいても杭の設置が易しく盛土も可能で、自然な雰囲気作りができる。【解決手段】杭本体から横に出てる板状の突起２を土６に被せたビニール８の上にのせ穴３に棒４などを通し、盛土７をのせる。結果、杭本体が固定される。【選択図】図２
0003137674.tif 000002
【実用新案登録請求の範囲】
【請求項１】
杭を縦に打ち込めない場所に、杭を固定するための横方向に飛び出した板状の突起部分とより強く固定するための穴を持つ杭。
【考案の詳細な説明】
【技術分野】
【０００１】  本考案は人工池などに使用する杭に関する。
【背景技術】
【０００２】  従来の杭は縦に打ち込むためビニール等をひいて作る池の周り近くに使用するとビニール等を傷つけるなど設置が難しかった。
【考案の開示】
【考案が解決しようとする課題】
【０００３】  しかし、これでは池の周り近くに杭が打てず、盛土も難しく、自然な雰囲気作りが難しい。
【課題を解決するための手段】
【０００４】  そこで杭を固定するために横に飛び出した板状の突起と、この板状部分に設けられ、棒などを通し地中により強く固定するための穴を備えた杭を考案した。（図１）この杭により保水力がなくビニール等を必要とする土地での池作りに杭の設置が難しくなくなる
【考案の効果】
【０００５】  よって本考案の杭によりビニール等をひいて池を作る時に、杭を池の周り近くに設置でき、盛土も容易で草花を植え自然な雰囲気作りが難しくなくなる。
【考案を実施するための最良の形態】
【０００６】  本考案に係る杭は図１に示すように本体部分１と地中に埋め固定する板状の突起２を備える。そしてこの板状の突起部分には棒などを通し地中により強く固定するための穴３を備える。杭本体の長さは板状の突起部分より長くない方が良く素材はプラスティックや木などあまり重くない方が望ましい。
【図面の簡単な説明】
【０００７】
【図１】  本考案に係る杭の天面図と正面図と側面図である。
【図２】  本考案に係る杭を池に設置した状態の正面断面図である。
【符号の説明】
【０００８】１  杭本体。
２  本体横に付いている板状の突起。
３  板状の突起をより強く固定するため棒などを通す穴。
４  板状の突起をより強く土に固定するための棒。
５  池の水。
６  土。
７  盛土。
８  ビニール。
【図１】
0003137674.tif 000003
【図２】
0003137674.tif 000004
(57)【要約】      （修正有）【課題】治安の維持に当たる警察官等が凶器を使用して不意に襲いかかる無法者に対応できるように常時着用して身を護ることができる防刃用胴衣を提供する。【解決手段】警察官等が着用する冬期用制服のワイシャツの外側並びに夏期用制服の外部に着用するポンチョ状胴衣体へ１身体への密着性を避けるため中央部の凸部４、５を二段とし更に防刃基板の縁辺部２に通気用隧道３を設け、好着用性を有した連綴した防刃基板１を封入した袋体を合着して、非常時に胸部及び腹部を防護する構造とした。【選択図】図１
0003137671.tif 000002
【実用新案登録請求の範囲】
【請求項１】
四隅を切欠した夫々の面積を有する防刃用矩形状の主体とする基板であって、該基板の中心部へ面状の突起部を形成し、更に該突起部の中央部へＸ字形状の突条が形成された二段の突起部を有する防刃胴衣用基板。
【請求項２】
上記面状の突起部の略上面部及び下面部更に両側面部の各複数箇所の縁辺部へ面状突起部と同等の高さを有する半円形状の通気隧道を基板上へ突設した請求項１に記載の防刃胴衣用基板。
【請求項３】
上記基板の素材は、超軽量の特殊軽金属製である請求項１に記載の防刃胴衣用基板。
【考案の詳細な説明】
【技術分野】
【０００１】  本考案は要人の警護、夜間のパトロール時等で警備に携わる警察官等が着用して自己の身を護るための防刃用基板に関するものである。
【背景技術】
【０００２】  従来より、この種の防刃用基板は、多種類が開発され使用されているが、防刃衣の多くは作業衣或いは制服の上部から着用する仕様であった。
又防刃用基板は単なる軽金属製の平板状単板をかしめ合わせて使用していたので重量であると共に柔軟性がなく通気性及び着脱に不自由があった。
【考案が解決しようとする課題】
【０００３】  そこで、本考案は、刃物による防御のため基板の略中央部に二段の凸起部を設け、身体への密着度を避け上記の基板の間隙部から不意に挿通される刃物、アイスピック等を防御でき更に、好着用性を確保すると共に、通気性を有する、基板を提供することを課題とするものである。
【課題を解決するための手段】
【０００４】  本考案は夏期及び冬期においても制服の下部或いはワイシャツの下部、下着の上部へ着用し、該ポンチョ状胴衣体の前面部即ち胸、腹部へは防刃基板を装着するものである。
【０００５】  近年、科学技術の発達に伴い、防刃用素材が開発され各々金属製であっても軽量となり、有効に利用されている。
【考案を実施するための最良の形態】
【０００６】  本考案は、通常使用されている、警察官の冬期の制服の下部へ又夏期の制服にあっては、該服の下部へ着用するポンチョ状胴衣体へ必要時（勤務時は、必ず着用）に身体の曲線に適合する様に形状の異なる数種の防刃用基板を多数枚縁辺部を重ね合わせて該胴衣に貼設し、着用者の上半身を各種の刃物、千枚通し等による受傷を防止できるものである。
【実施例】
【０００７】  以下、本考案を添付図面に基づいて説明する。
図１は、本考案の防刃基板の単体の平面図である。【０００８】  本考案は、主として警察官が勤務中常時着用できる様に簡単に構成した防刃用胴衣の略全面部をカバーできる軽金属製の基板の最も主要な前面部に用いる主体とする基板あって、図１で示すように、矩形状の凹凸部を二段に渡って有する単体の基板▲１▼であって、該基板の外周の縁辺部▲２▼に半円形状の通気用隧道▲３▼を設けたものであって該基板と下部に位置する他の基板の外周部をかしめ、緩装する即ち他の基板の平面状の外周部へ本考案の半円形状通気用隧道▲３▼を有した基板の外周部が重着されるのである。素材は超軽量の特殊軽金属製であり、四隅を切欠し、該各切欠部の中央部に基板▲１▼を所定の大きさ胸部及び腹部に連綴する連綴貫通孔を穿設し加えて、各辺部の中央部に中央貫通孔を穿設する。次に基板▲１▼の中心部に巾を有したＸ字形状の凸部を押圧して設ける。更に基板▲１▼の面状凸部▲６▼を押圧して設ける。
以上の結果Ｘ字状凸部▲４▼及び面状凸部▲５▼の２の凸部が形成される。次に該基板の外周部である縁辺部▲２▼に半円形状の通気用隧道▲３▼を設けたことによって着用者の胸部及び腹部への出汗を抑止できると共に刃物の滑り及びアイスピック等による刺し通し防止に画期的な効果を有するものである。
【産業上の利用可能性】
【０００９】  本考案の防刃用胴衣に用いる本体基板は当局において実装、実験済みである。
【図面の簡単な説明】
【００１０】
【図１】  本考案の基板の平面図である。
【符号の説明】
【００１１】      １…基板（単体）
２…基板の縁辺部
３…通気用隧道
４…Ｘ字形状の凸部
５…面状の凸部。
【図１】
0003137671.tif 000003